(57)【要約】【課題】本発明は、入浴時の介護効率を向上することができ、安価に製造可能な浴室構造を提供する。【解決手段】浴槽設置部と洗い場部２ｂとを備え、略矩形の形状をした少なくとも２つの防水パン２，２が端縁１５ａ，１５ｂ同士で連結され、各防水パン２，２の浴槽設置部にそれぞれ浴槽３，３が設置され、連結された端縁１５ａ，１５ｂを除く各防水パン２，２の端縁上に壁パネル５Ａ〜５Ｃが立設されるとともに壁パネル５Ａ〜５Ｃの上端間に天井パネルが設置され、連結された端縁１５ａ，１５ｂの上方に、浴槽設置部の上方及び洗い場部２ｂの上方を有した浴室空間２３，２３どうしを仕切る仕切り部材の一部が仕切り壁２１として設けられるとともに、浴室空間２３，２３どうしの間が連通し、介護者が両浴室空間２３，２３を移動可能となっていることを特徴とする。【選択図】図１
2014051880.tif 000002
【特許請求の範囲】
【請求項１】
浴槽設置部と洗い場部とを備え、略矩形の形状をした少なくとも２つの防水パンが端縁同士で連結され、
これら各防水パンの前記浴槽設置部にそれぞれ浴槽が設置され、
前記連結された端縁を除く前記各防水パンの端縁上に壁パネルが立設されるとともに前記壁パネルの上端間に天井パネルが設置され、
前記連結された端縁の上方に、前記各浴槽設置部の上方及び各洗い場部の上方を有した浴室空間どうしを仕切る仕切り部材の一部が仕切り壁として設けられるとともに、前記浴室空間どうしの間が連通し、介護者が両浴室空間を移動可能となっていることを特徴とする浴室構造。
【請求項２】
前記防水パンの一辺を構成する端縁は連結部材により連結され、
前記防水パンの連結部材を備えて形成された溝部に蓋部材が配置され、この蓋部材と前記防水パンの前記端縁との間が水密構造とされていることを特徴とする請求項１に記載の浴室構造。
【請求項３】
前記仕切り部材として、浴室空間に出入りする前側に開閉自在のカーテンが設けられていることを特徴とする請求項１又は２に記載の浴室構造。
【請求項４】
前記壁パネルには手摺りが設けられ、浴室空間には移乗台が設けられていることを特徴とする請求項１から３のいずれか１項に記載の浴室構造。
【発明の詳細な説明】
【技術分野】
【０００１】
本発明は、要介護者を対象とした入浴設備に用いて好適な浴室構造に関する。
【背景技術】
【０００２】
高齢者等の身体機能が低下した要介護者の入浴設備としては、広く介護施設等に採用されているものとして、大浴場に複数の個人用浴槽を設置し、多数の要介護者を同時に各浴槽に入浴させるようにしたものが知られている。
【０００３】
しかし、このような入浴設備においては、大浴場において多数の要介護者を同時に入浴させるものであるから、入浴する者のプライバシーを保護することができないことに起因して要介護者が入浴をためらう傾向があり、結果として別途設けられた個別浴室の利用者が増えて、付き添いの介護者も多人数必要となり、介護の効率低下を来たして介護費用の増加を招くと共に、大浴場の利用率も低下するという問題を生じていた。
【０００４】
一方、この種の入浴設備として、設備コストを低減させる観点から、介護設備を備えたユニットバスが提案されている。
【０００５】
下記特許文献１に記載されたユニットバスはその一例であり、洗い場床と、この洗い場床に隣接配置された浴槽と、これら洗い場床及び浴槽を囲む壁パネルと、これら壁パネルの上端間に設けられた天井パネルとを備えて構成されたものである。
【０００６】
このユニットバスは、各構成部品の製造について、特に形状が入り組んだ浴槽や洗い場床部分の製造を例えばハンドレイアップ成形法により行い、単純な形状を有する壁パネルや天井パネルの製造をプレス成形法やロール成形法によって行う。
【先行技術文献】
【特許文献】
【０００７】
【特許文献１】特開平８−１１７３０６号公報
【発明の概要】
【発明が解決しようとする課題】
【０００８】
しかしながら、上記の特許文献１に記載されたユニットバスは、一般的なユニットバスと同様に、洗い場床と浴槽とがそれぞれ１つずつ１組とされた構成であり、このユニットバスに要介護者が入浴する場合には、要介護者を見守り、かつ介護する介護者が付き添う必要があり、人員配置上の介護効率が悪いという問題があった。
【０００９】
また、ユニットバスを用いて例えば２名の要介護者を１人の介護者で介護する方法として、ユニットバスを大型に形成して浴室内に２つの浴槽を配置することも考えられるが、ユニットバスの構成要素について専用の大型の製造装置が必要となり、特に浴槽や洗い場床をハンドレイアップ法により製造する場合には大型の成形型が必要となり、ユニットバス全体の製造コストが割高になるという問題があった。
【課題を解決するための手段】
【００１０】
本発明に係る浴室構造は、上記した課題を解決するべく下記の特徴を有する。
すなわち、本発明の第１の態様は、浴槽設置部と洗い場部とを備え、略矩形の形状をした少なくとも２つの防水パンが端縁同士で連結され、これら各防水パンの前記浴槽設置部にそれぞれ浴槽が設置され、前記連結された端縁を除く前記各防水パンの端縁上に壁パネルが立設されるとともに前記壁パネルの上端間に天井パネルが設置され、前記連結された端縁の上方に、前記各浴槽設置部の上方及び各洗い場部の上方を有した浴室空間どうしを仕切る仕切り部材の一部が仕切り壁として設けられるとともに、前記浴室空間どうしの間が連通し、介護者が両浴室空間を移動可能となっていることを特徴とする。
【００１１】
本発明の第２の態様は、前記防水パンの一辺を構成する端縁は連結部材により連結され、
前記防水パンの連結部材を備えて形成された溝部に蓋部材が配置され、この蓋部材と前記防水パンの前記端縁との間が水密構造とされていることを特徴とする。
【００１２】
本発明の第３の態様は、前記仕切り部材として、浴室空間に出入りする前側に開閉自在のカーテンが設けられていることを特徴とする。
【００１３】
本発明の第４の態様は、前記壁パネルには手摺りが設けられ、浴室空間には移乗台が設けられていることを特徴とする。
【発明の効果】
【００１４】
本発明にかかる浴室構造によれば、上記した解決手段によって下記の効果を奏する。
すなわち、本願の請求項１に係る浴室構造によれば、防水パン上の浴室空間内に少なくとも２つの浴槽が設置されるので、同時に少なくとも２人の要介護者の入浴が可能であると共に、各要介護者を共通の介護者が介護することができ、介護者の人員配置上の効率を高めることができるという効果を奏する。
【図面の簡単な説明】
【００１５】
【図１】は、本発明の第１の実施形態として示した浴室構造の一部断面視した平面図である。
【図２】は、図１のＳ−Ｓ線から視た正断面図である。
【図３】は、図１のＴ−Ｔ線から視た側断面図である。
【図４】は、図１のＰ０で示す矢視部分における防水パンの途中から下方を見た拡大平断面図である。
【図５】は、図４のＹ−Ｙ線から視た縦断面図である。
【図６】は、図４のＺ−Ｚ線から視た縦断面図である。
【図７】は、本発明の第１の実施形態における排水通路部分の分解斜視図である。
【図８】は、本発明の第２の実施形態として示した浴室構造の防水パンの連結部を示す拡大縦断面図である。
【図９】は、本発明の第３の実施形態として示した浴室構造の防水パンの連結部を示す拡大縦断面図である。
【図１０】は、本発明の第４の実施形態として示した浴室構造の一部を断面視した平面図である。
【図１１】は、本発明の第５の実施形態として示した浴室構造の防水パンの連結部を示す拡大縦断面図である。
【発明を実施するための形態】
【００１６】
以下、本発明の実施形態を図面を参照して説明する。
図１から図７は、本発明の第１の実施形態を示す図である。
図１から図３は、本発明に係る浴室構造１を示しており、この浴室構造１は、一般的なユニットバスの構成要素を用いて、２名の要介護者が同時に入浴できるよう構成されたものである。
【００１７】
図１，図２に示すように、この浴室構造１に用いる構成要素を備えた一般的なユニットバスは、浴槽設置部２ａ及び洗い場部２ｂを備えた一つの略矩形の防水パン２と、この防水パン２の浴槽設置部２ａ上に設置される１つの浴槽３と、防水パン２の端縁に立設される４つの壁パネル５Ａ〜５Ｃと、各壁パネル５Ａ〜５Ｃの上端間に設けられる天井パネル７、７とを備えたものである。４つの壁パネル５Ａ〜５Ｃのうち、壁パネル５Ｃ、５Ｃには出入扉が設けられている。
浴室構造１は、上記の一般的なユニットバスの構成要素から必要とされる要素を選択し、かつ、一部の要素について部分的な変更を加えて組み立てられたものである。
【００１８】
浴室構造１には２つの防水パン２、２が使用されている。
２つの防水パン２、２は互いに連結され、その上面の一部には浴槽３、３が設置されている。
各防水パン２、２の端縁１５ａ、１５ｂ同士が連結されている部分（以下「連結部Ｐ」という）を除く端縁上には壁パネル５Ａ〜５Ｃが立設され、これら壁パネル５Ａ〜５Ｃの上端間に図３に示すように天井パネル７が設けられている。
【００１９】
防水パン２は、上方から見て矩形に形成されたものであって、図３に示すように浴槽３を設置する浴槽設置部２ａと、この浴槽設置部２ａに連結された洗い場部２ｂとを備えたものである。
【００２０】
浴槽設置部２ａ、洗い場部２ｂは、浴槽設置部２ａ及び洗い場部２ｂを折曲して形成した連結端部８、９により連結されている。
浴槽設置部２ａは、図２、図３に示すように、浴槽３を設置する部分が周縁部より窪んだ盆形状に形成されたものである。
【００２１】
浴槽設置部２ａ及び洗い場部２ｂの下面には脚フレーム１１、１２が取り付けられており、脚フレーム１１、１２はアジャスタボルト１３、１３を介して床面１４上に支持されている。
【００２２】
図１、図２に示すように、２つの防水パン２、２は、それぞれ一辺を構成する端縁１５ａ、１５ｂ同士を一方向に向けて隣接配置され、端縁１５ａ、１５ｂが互いに連結されている（詳細は後述する）。
これらの防水パン２の浴槽設置部２ａ上には、図３に示すように台座１７、１７を介して浴槽３が設置されている。
【００２３】
壁パネル５Ａ〜５Ｃのうち、壁パネル５Ｃは、浴室空間２３、２３に出入りするための出入扉１６を備えている。
壁パネル５Ａ〜５Ｃは、防水パン２、浴槽３と組み合わされてユニットバスを構成するものが使用されるので、図１に示すように、壁パネル５Ａ、５Ｃの幅寸法は１つの防水パン２の幅寸法と一致し、壁パネルＢの幅寸法は防水パン２の奥行き寸法と一致している。
【００２４】
なお、以下の説明では、図１に示す防水パン２において、出入扉１６が備えられた端縁側を前側といい、該前側に対向する浴槽３が備えられた端縁側を奥側という。
これらの壁パネル５Ａ〜５Ｃは、壁パネル５Ａ、５Ａが防水パン２の奥側の各端縁上に立設され、壁パネル５Ｂ、５Ｂが防水パン２、２の左右両端の端縁上に立設され、壁パネル５Ｃ、５Ｃが防水パン２、２の前側の端縁上に立設されている。
また、天井パネル７は、図２、図３に示すように、各壁パネル５Ａ〜５Ｃの上端間に設けられている。
【００２５】
この場合、防水パン２、２、壁パネル５Ａ〜５Ｃ、天井パネル７の各接合部分は、それぞれ水密構造をもって固定されている。
【００２６】
また、図１、図２に示すように、防水パン２、２の連結部Ｐ上には、各防水パン２、２の上方空間を仕切る仕切り部材２０が設けられている。
【００２７】
仕切り部材２０は、連結部Ｐの奥行き方向略２分の１の奥側に設けられた仕切り壁２１と、連結部Ｐの奥行き方向２分の１の前側に設けられたカーテン２２とからなっている。
【００２８】
仕切り壁２１は、主に浴槽３、３間を仕切るために設けられた壁であり、連結部Ｐの上面から天井パネル７、７の連結部に達するように設けられている。
カーテン２２は、各防水パン２、２の洗い場部２ｂ、２ｂの上方空間を仕切るもので、開閉自在である。
【００２９】
上記の構成の下に、各防水パン２、２、壁パネル５Ａ〜５Ｃ、天井パネル７により形成された浴室空間２３は、一方の浴槽設置部２ａ及び洗い場部２ｂの上方に形成された空間２３ａと、他方の浴槽設置部２ａ及び洗い場部２ｂの上方に形成された空間２３ｂとに仕切られている。
【００３０】
この浴室構造１は、要介護者の入浴を快適、かつスムーズに行えるようにすることを目的としているので、そのための設備として、各浴槽３の左右両側に、入浴者の浴槽３への移動を容易にするための移乗台２４、２４が設置されている。この場合、移乗台２４は、防水パン２の浴槽設置部２ａ上に支持された図示しない支持板台に設置されている。
【００３１】
また浴槽３の奥側に位置する壁パネル５Ａには、手摺り２６が設けられている。また、左右両側方に設置された壁パネル５Ｂには、シャワーカウンタ２７が設けられている。
【００３２】
図４は、図１のＰ０で示す矢視部分における防水パン２、２の連結部Ｐの拡大平断面図である。
図５は、図４のＹ−Ｙ線から視た縦断面図であり、これら図４、図５に防水パン２、２の連結部Ｐの詳細が示されている。
【００３３】
これらの図に示す防水パン２の端縁１５ａ（１５ｂ）は、図２に示す浴槽設置部２ａの端縁であり、図１に示す洗い場部２ｂの端縁と同一の構成をもって該洗い場部２ｂの端縁に連設されたものである。
【００３４】
図５において、一方の端縁１５ａ（図において左側に位置する端縁）には、その下面側に、端縁１５ａの長手方向全域（浴槽設置部２ａと洗い場部２ｂとの端縁の奥行き方向全域）に亘って突出壁部３１ａが形成されている。突出壁部３１ａは、端縁１５ａから鉛直方向下方へ突出する垂下壁部３２ａと、この垂下壁部３２ａから他方の端縁１５ｂ側へ向けて湾曲し、更に水平方向に突出する張出壁部３３ａと、この張出壁部３３ａの突出先端に鉛直方向を向くように形成された先端壁部３４ａとを備えている。
【００３５】
また、他方の端縁１５ｂには、その下面側に突出壁部３１ｂが形成されている。この突出壁部３１ｂは、前記突出壁部３１ａと左右対称の形状を有するものであり、垂下壁部３２ｂ、張出壁部３３ｂ、先端壁部３４ｂを備えている。
【００３６】
これらの突出壁部３１ａ、３１ｂは、張出壁部３３ａ、３３ｂを同一高さに位置させて、先端壁部３４ａ、３４ｂが一定寸法離間して対向するように配置されている。
【００３７】
そして、これら突出壁部３１ａ、３１ｂは、連結部材３５によって連結されている。
連結部材３５は、一定間隔を隔てて水平方向に延在する２つの水平壁部３６、３６と、これら水平壁部３６、３６の内端から下方へ延出する側壁部３７、３７と、これら側壁部３７、３７間に架設された底壁部３８とを備えている。
【００３８】
この連結部材３５は、前記突出壁部３１ａ、３１ｂの長手方向全域間を連結するものであり、底壁部３８の長手方向の一部に、図４、図６に示すように開口部３９が形成されている。
【００３９】
底壁部３８は、その上面３８ａが図１に示す浴室空間２３の前側Ａから開口部３９に向けて僅かな傾斜角をもって下る傾斜面とされており、また、浴室空間２３の奥側Ｂから開口部３９に向かって同様に下る傾斜面とされている。
【００４０】
この連結部材３５の底壁部３８と、突出壁部３１ａ、３１ｂとは、後述する溝部７０を形成し、入浴時に洗い場部２ｂ上に落下する温水等の排出を後述する排水配管に導く排水通路Ｒを構成している。
【００４１】
上記の連結部材３５は、水平壁部３６、３６を前記張出壁部３３ａ、３３ｂの下方に位置させ、水平壁部３６、３６と張出壁部３３ａ、３３ｂとの間にゴム等の水密性を確保するための弾性部材４０、４０を介在させ、水平壁部３６、３６の下面側に桟部材４１、４１を配置し、張出壁部３３ａ、３３ｂの上方から弾性部材４０、４０、水平壁部３６、３６、桟部材４１、４１にタッピングネジ４２、４２を螺入することによって、水平壁部３６、３６の上面を先端壁部３４ａ、３４ｂの下端に当接させて突出壁部３１ａ、３１ｂに固定されている。
【００４２】
ここで弾性部材４０は、断面矩形の形状をもって突出壁部３１ａ（３１ｂ）の長手方向に配置された部材であって、前記張出壁部３３ａ（３３ｂ）、先端壁部３４ａ（３４ｂ）、水平壁部３６により囲まれた空間内に密に嵌着し、突出壁部３１ａ（３１ｂ）と連結部材３５との間を水密構造とする。
【００４３】
また、桟部材４１は、合成樹脂製の部材であって、断面矩形の形状をもって突出壁部３１ａ（３１ｂ）の長手方向に配置された部材である。
連結部材３５の下方には、突出壁部３１ａ（３１ｂ）の長手方向に延在させて連結部材３５を下方から受けるフレーム４５が配置されている。
【００４４】
フレーム４５は、水平方向に位置する支持壁部４６の左右両端に立上り壁部４７、４７が形成されたもので、支持壁部４６の上面と立上り壁部４７、４７の内面に当接させて桟部材４８、４８を配置し、桟部材４８、４８と前記水平壁部３６、３６との間にスペーサ４９、４９を介在させ、水平壁部３６、３６の上方からスペーサ４９、４９、桟部材４８、４８にタッピングネジ５０、５０を螺入し、更に立上り壁部４７、４７の外方から桟部材４８、４８にタッピングネジ５０、５０を螺入することによって連結部材３５に固定されている。
【００４５】
上記のスペーサ４９、及び桟部材４８も、合成樹脂製の部材であって、突出壁部３１ａ（３１ｂ）の長手方向に向けて配置されたものである。
このフレーム４５は、アジャスタボルト５１によって床面１４上に支持されている。
【００４６】
上記のアジャスタボルト５１は、フレーム４５の長手方向(紙面に直交する方向)において、所定間隔おきに設けられており、フレーム４５が長手方向の複数個所で支持される構造となっている。
【００４７】
図４、図６に示すように、連結部材３５の開口部３９が形成された部分の下方には、トラップ構造体６０が設けられている。
トラップ構造体６０は、浴室内の排水を開口部３９から排水配管６１に導く経路において、排水の逆流や臭気の侵入を防ぐ目的で設置されたものである。
【００４８】
このトラップ構造体６０は、合成樹脂材料により一体に成形されたものであって、上方に開口する流入口６２を有する取付部６３と、この取付部６３の下方に連続して設けられた排水の通路空間６４をＵ字状に形成したトラップ部６５と、このトラップ部６５の一側部上端のトラップ出口６６に連続して設けられ、トラップ出口６６から流出する排水を排水配管６１方向へ導く排水部６７とを備えており、排水部６７に形成された排水出口６８に排水配管６１が接続されている。
【００４９】
このトラップ構造体６０は、取付部６３の上面を桟部材４１の下面に当接させ、取付部６３の下方から桟部材４１にタッピング螺子５０を螺入することによって連結部材３５に固定されている。
【００５０】
上記の構成において、突出壁部３１ａ、３１ｂと連結部材３５とにより形成される空間は上方が開口する溝部７０となっているが、この溝部７０内には上方に開口する部分を塞ぐ蓋部材７１が配設されている。
【００５１】
蓋部材７１は、金属板をプレス成形により折曲かつ穴開け加工して形成されたものであって、図６、図７に示すように、水平方向に延在する上壁部７２と、この上壁部７２の両端部から下方へ延出する中壁部７３、７３と、これら中壁部７３、７３の下端部から水平方向に互いに接近する方向へ延び、さらに下方へ折曲されて延びる下壁部７４、７４と、これら下壁部７４、７４の下端部から互いに水平方向へ接近するように延びる係合壁７５、７５とを備えている。
【００５２】
上壁部７２には、洗い場部２ｂ、移乗台２４を支持する図示しない支持台上の排水を下方へ導くスリット７６、７６・・が形成されている。
この蓋部材７１は、図６に示すように、その係合壁７５、７５を先端壁部３４ａ、３４ｂの上面に載置することにより溝部７０内に設置されている。
【００５３】
この場合、蓋部材７１の高さ寸法は、上壁部７２が浴槽設置部２ａ及び洗い場部２ｂの各縁部１５ａ、１５ｂ（図５参照）の上面と略面一状態となるように設定されている。
【００５４】
次に、上記のように構成された浴室構造１の使用方法について説明する。
上記の浴室構造１は、浴槽３、３を２つ備えているので、同時に２人の要介護者の入浴が可能であり、かつ、各浴槽３、３の位置する空間２３ａ、２３ｂ間がカーテン２２を配した連結部Ｐの奥行き方向２分の１の前側において連通しているので、１人の介護者がカーテン２２を移動させ両空間２３ａ、２３ｂを連通させた状態で移動することによって２人の要介護者の介護を行うことが出来る。
【００５５】
すなわち、要介護者の入浴時の介護は、要介護者の身体特性によって介護者が要介護者に付き添う状況が異なってくるものであるが、介護が浴槽３と洗い場部２ｂとの間移動時等、特定の場合にのみ必要となる要介護者については、同時に２人の要介護者を入浴させ、１人の介護者が必要に応じて各空間２３ａ、２３ｂ間を移動し、各要介護者の介護を行えばよい。
この場合、介護者は、カーテン２２を開閉操作することによって各空間２３ａ、２３ｂ間を移動することが出来る。
【００５６】
以上説明したように、上記の浴室構造１によれば、１名の介護者により要介護者２名を同時に入浴させ、介護することができ、介護施設等に用いた場合に介護者の人員配置の点で介護効率の向上が図れるという効果が得られる。
【００５７】
また、浴槽３、３が設けられている空間が仕切り壁２１及びカーテン２２で仕切られているので、要介護者のプライバシーを確保することができ、要介護者が入浴を快適に行うことができるという効果が得られる。
【００５８】
また、浴室構造１は、２つの防水パン２、２と２つの浴槽３、３とを用い、更に壁パネル５Ａ〜５Ｃ、天井パネル７を用いて浴室空間２３を形成したものであり、これら浴室構造１の主な構成要素として一般的なユニットバスの構成要素を利用して組み立てられたものであるから、２人入浴用の浴室構造１の構成要素について新たな大型の製造装置を必要とすることがなく、従来の一般の製造装置を用いて製作することができるので、浴室構造１全体を安価に提供することができる。
【００５９】
浴室構造１の構成要素のうち、特に防水パン２及び浴槽３は、強度を十分に確保する必要性がありかつ形状が複雑に入り組んでいることから、一般的にハンドレイアップ成形法により製作される。
【００６０】
このハンドレイアップ成形法においては、成形に用いる成形型の製作コストが成形製品の大きなコストアップ要因となる。したがって、浴室構造１において防水パン２及び浴槽３を一般的な成形型を用いて製造できることは、浴室構造１のコストを抑える点で大きな利点である。
【００６１】
なお、一般的なユニットバスの防水パンは、端縁に設ける突出壁部３１ａ、３１ｂを、そこに壁パネルを設置する関係から端縁の上面側に設けるようにしている。
【００６２】
したがって、上記の実施形態において防水パン２をハンドレイアップ成形法により成形するには、一般的な成形型を使用するものの、成形型の連結部Ｐ部分における突出壁部成形部に「中子」を配置して端縁の上面側に突出壁部３１ａ、３１ｂを成形しないこととし、当該成形型に補助型を設けて図６に示すように端縁の下面側に突出壁部３１ａ、３１ｂを形成するようにする。
【００６３】
また、介護者は、洗い場部２ｂ、２ｂの連結部Ｐの近傍に位置することによって、カーテン２２を操作しつつ両空間２３ａ、２３ｂの各要介護者を見守ることが出来る。
【００６４】
一方、要介護者の入浴時に洗い場部２ｂ、２ｂ及び移乗台２４の図示しない支持台上に流された湯水等の排水は、蓋部材７１のスリット７６から落下し、連結部材３５の底壁部３８上の排水通路Ｒを通って開口部３９に至り、この開口部３９からトラップ構造体６０に流入する。
【００６５】
トラップ構造体６０に流入した排水は、その一定量がトラップ部６５に貯留され、一定量を超えた排水が溢流水としてトラップ出口６６から排水部６７に流入する。排水部６７内の排水は、排水配管６１を通って下水道に放出される。
かくして、浴室内の排水経路Ｒに上記のトラップ構造体６０のトラップ部６５が介装されることにより、排水の逆流、浴室内への臭気の侵入等が防止できる。
【００６６】
また、防水パン２、２の連結部Ｐに形成される溝部７０内に蓋部材７１を配置したから、各洗い場部２ｂ、２ｂ上面を凹凸部のないバリアフリー構造とすることができ、安全な入浴が可能となるという効果が得られる。
【００６７】
また、洗い場部２ｂ及び前記支持台の排水を蓋部材７１のスリット７６、排水通路Ｒ、トラップ構造体６０を介して排水配管６１へ導くことができ、排水をスムーズに行うことが出来るという効果が得られる。
【００６８】
図８は、本発明の第２の実施形態を示す図である。
この実施形態が上述した第１の実施形態と異なる点は、防水パン２、２の連結部Ｐ２の構成である。
【００６９】
すなわち、この実施形態においては、防水パン２、２の連結部Ｐ２に形成された溝部７０内に蓋部材７１が配置され、蓋部材７１と防水パン２、２の端縁１５ａ、１５ｂとの間にシリコンコーキングがなされている。蓋部材７１は、上述した第１の実施形態とは異なり、スリット７６を備えていない。したがって、この実施形態では、防水パン２、２の連結部Ｐ２が水密構造とされ、洗い場部２ｂ等からの排水が別途設けられた図示しない流路を経て排出されるように構成されたものである。
【００７０】
なお、防水パン２、２の端縁１５ａ、１５ｂに形成された突出壁部３１ａ、３１ｂは、連結部材３５に固定され、連結部材３５は桟部材４８を介してフレーム４５に固定され、フレーム４５はアジャスタボルト５１により床面１４上に支持されている。
【００７１】
この実施の形態によれば、防水パン２、２の連結部Ｐ２に湯水の排水路を設けてないので、連結部Ｐ２を簡単な構成とすることが出来る。
【００７２】
図９は、本発明の第３の実施形態を示す図である。
図９は、図１のＰ０部分における防水パン２、２の連結部に対応する連結部Ｐ３の拡大縦断面図である。
この実施形態は、防水パン２、２の連結部に排水を行うための構造を備えていない点で上記の第２の実施形態と同一である。
【００７３】
この実施形態においては、一方の防水パン２の端縁１５ａ上に図１の仕切り壁２１に対応する仕切り壁８０が固定状態で設置されており、蓋部材７１の上面にレール８１が設置されている。
【００７４】
レール８１は、蓋部材７１上において図１に示す洗い場部２ｂ、２ｂが設けられた浴室空間２３の手前側まで敷設されている。  
レール８１上には、引き戸８２が走行自在に設けられている。引き戸８２は、図１に示すカーテン２２の代わりに設けられたものであって、その下桟８３に設けられた車輪８４がレール８１上を走行し上桟がガイド部材（いずれも図示せず)に案内されることによって空間２３ａ、２３ｂを開閉するものである。
【００７５】
この実施形態によれば空間２３ａ、２３ｂを引き戸８２により仕切る構成であるため、各空間２３ａ、２３ｂをより確実に独立した空間とすることができ、要介護者のプライバシー確保がより確実なものとなるという効果が得られる。
【００７６】
図１０は、本発明の第４の実施形態を示す図である。
この実施形態は、図１に示す実施形態において一方の浴槽４に入浴者の移動装置を設けたものである。
【００７７】
すなわち、図１０に示す浴室構造１においては、一方の浴槽４に昇降装置９０が備えられている。
昇降装置９０は、駆動機構（図示せず）を備えて浴槽４に固定される基枠９１と、この基枠９１に固定された支持プレート９２及び手摺り９３と、支持プレート９２上を移動可能な座部９４とを備えてなるものであり、要介護者が座部９４に座った状態で、駆動機構を動作させることにより要介護者が浴槽４の湯の内外へ移動できるように構成されたものである。
【００７８】
この実施形態においては、一方の浴槽４に座位を維持できるレベルの一の介護者が入浴し、他方の浴槽４に自立して入浴動作が可能な二の要介護者が入浴し、この際要介護者が一の要介護者を介助入浴させながら二の要介護者の入浴を見守ることが出来るため、それぞれ身体能力に即した入浴介助をしながら効率的な入浴が可能となる。
【００７９】
図１１は、本発明の第５の実施形態を示す図である。
上述した図１から図５に示す実施形態は、防水パン２、２、端縁１５ａ、１５ｂに形成される突出壁部３１ａ、３１ｂが下方に突出するよう形成されたものである。
【００８０】
しかしながら、これらの実施形態においては、前述したように防水パン２の製造に際して成形型の一部の修正が必要である。
【００８１】
そこで、この第５の実施形態においては、防水パン２の成形に際して、一般的な成形型をそのまま使用できるようにしたものである。
すなわち、この実施形態においては、図１１に示すように、防水パン２、２の端縁１５ａ、１５ｂには、それぞれ上方へ向けて突出壁部１００ａ、１００ｂが形成されている。
【００８２】
この実施形態は、突出壁部１００ａ、１００ｂを対向配置し、これら突出壁部１００ａ、１００ｂにこれらを覆うように断面逆Ｕ字形に形成されたカバー１０１を被覆したものである。
【００８３】
この実施形態によれば、防水パン２の成形型として一般的なユニットバスの成形型をそのまま使用することが出来るので、より浴室設備全体の製造コストの低減を図ることが出来る。
【符号の説明】
【００８４】
１  浴室構造，    ２  防水パン，    ２ａ  浴槽設置部，    ２ｂ  洗い場部，    ３  浴槽，    １５ａ、１５ｂ  端縁，    Ｐ連結部，    ５Ａ  壁パネル，    ５Ｂ  壁パネル，    ５Ｃ  壁パネル，    ７  天井パネル，    ２０  仕切り部材，    ２３  浴室空間，    ３１ａ、３１ｂ  突出壁部，    ３５  連結部材，    ６１  排水配管，    ７０  溝部，    １００ａ、１００ｂ  突出壁部，    Ｒ  排水通路
【図１】
2014051880.tif 000003
【図２】
2014051880.tif 000004
【図３】
2014051880.tif 000005
【図４】
2014051880.tif 000006
【図５】
2014051880.tif 000007
【図６】
2014051880.tif 000008
【図７】
2014051880.tif 000009
【図８】
2014051880.tif 000010
【図９】
2014051880.tif 000011
【図１０】
2014051880.tif 000012
【図１１】
2014051880.tif 000013